(57)【要約】      （修正有）【課題】効果的に煤や有害ガスを排気し、あらゆる方向からの通風に抗し、高温の膨張ガスの漏れを防ぐレンジフードを提供する。【解決手段】頂部にエア生成装置を設置したカウンターの上で用いられる、通風に抗しうる、このレンジフード１は、エアを上方向に引くための細長排気スロット２２を底部に備えた排気フード２を含む。そのうえ、エアを下方向に吹き付けるために、前記細長排気スロットの正面に吹き付け溝が設けられる。前記排気フードの左側面と右側面との下に、長左側直立板３と長右側直立板４とがそれぞれ備えられる。それによって、前記細長排気スロットがエアを引くとき、斜め方向の気流が形成される。そのうえ、斜め方向の気流構造を守るため、長左側直立板３と長右側直立板４とは、側面方向からの通風を妨げることがで、上方向への気流の流れはそのままに、煤や有害ガスが排気される。【選択図】図１
0003188116.tif 000002
【実用新案登録請求の範囲】
【請求項１】
壁によりかかって構成される背面を有するとともに、頂部にエア発生装置を備えかつ前記壁に面した後端を有するカウンター、の上に位置し、通風に抗しうるレンジフードであって、
下方向に面する開口を有し、エアを上方向に引くための排気装置と接続されるとともに、その底部に、前端面と後端面との間に位置し、前記前端面および後端面と平行な細長排気スロットを備える排気フードと、
前記排気フードの左側面の下に設けられ、その水平幅が、前記エア発生装置の後端から前記壁までの水平距離を下回ることがなく、その鉛直長さが、前記カウンターの頂部から、その底部までの高さを下回ることがない長左側直立板と、
前記排気フードの右側面の下に設けられ、その水平幅が、前記エア発生装置の後端から前記壁までの水平距離を下回ることがなく、その鉛直長さが、前記カウンターの頂部から、その底部までの高さを下回ることがない長右側直立板と、
前記長左側直立板の前端の右側に設けられる湾曲した第１のガイド部と、
前記長右側直立板の前端の左側に設けられる湾曲した第２のガイド部とを含み、
前記長左側直立板の前端面の前方、且つ前記排気フードの左側面の前端の下方に、第１のエア供給空間が形成され、
前記長右側直立板の前端面の前方、且つ前記排気フードの右側面の前端の下方に、第２のエア供給空間が形成されていることを特徴とする通風に抗しうるレンジフード。
【請求項２】
前記排気フードは、エアコレクタを含み、
前記排気装置は、前記エアコレクタの頂部と接続され、
前記細長排気スロットは、前記エアコレクタの底部に形成され、
前記排気装置には、エアを引くためのインレットが備えられ、
前記インレットは、前記細長排気スロットの上部位置から離されていることを特徴とする請求項１に記載の通風に抗しうるレンジフード。
【請求項３】
前記エアコレクタは底板を有しており、
前記細長排気スロットは、前記底板に形成され、
油防枠が、前記底板に形成され、前記細長排気スロットを取り囲むことを特徴とする請求項２に記載の通風に抗しうるレンジフード。
【請求項４】
前記カウンターの前端には、細長吹き付け部を備え、
前記細長吹き付け部は、前記細長排気スロットに対応する細長吹き付けスロットを有し、
前記細長吹き付けスロットと前記細長排気スロットとの間に斜め方向のエアカーテンを形成するように、前記細長吹き付けスロットを通して所定の角度で吹き上げられ、前記細長排気スロットに入るエアジェットを備えることを特徴とする請求項１乃至３に記載のいずれかの通風に抗しうるレンジフード。
【請求項５】
前記細長排気スロットの前端には、下方向に面して開口する細長吹き付け溝を備え、
前記細長吹き付け溝は、下方向に吹き付けるための吹き付け装置と接続されており、
前記細長排気スロットと前記細長吹き付け溝とは、前記排気フードの前端面と後端面との間に設けられ、前記前端面および後端面と平行であることを特徴とする請求項１乃至３に記載のいずれかの通風に抗しうるレンジフード。
【考案の詳細な説明】
【技術分野】
【０００１】
本願考案は、レンジフードに関し、特に、あらゆる方向からの通風に抗し、煤や汚染物質を排出し、家庭のキッチンや、レストランのキッチン、他の汚染ガスを生じる仕事場に適したレンジフードに関するものである。
【背景技術】
【０００２】
キッチンの従来のレンジフードは、仕事場にあるような天井吸引（top-suction）スタイルのものとほとんど変わるところがなかった。この従来種類のレンジフードは、気流がレンジフードの排気スロットの近距離まで近づくと、上昇方向への気流速度が大幅に減じられ、それゆえ、上昇方向の引き抜き力は常に不十分であった。それによって、レンジフードの性能は、周囲をあるく人々やファンやエアコンの運転などによって引き起こされる通風に極めて容易に影響されがちであった。結果として、煤を閉じ込めるための有効面積は極めて小さくなる。このようにして、排気スロットの近隣に近づいた煤は、通風に沿って逃げ、キッチンで調理する人々の健康を危うくする。
【０００３】
その結果、上記の問題を克服するために、本願考案者は、空気力学原理に基づいた「エアカーテン」を備えるレンジフードを開発してきた。そのようなレンジフードの主な技術的特徴は、カウンター正面からみて、上方向と斜めの方向とに向かうエアジェットを供給し、オーブンの上にスロット形状の換気フードを設け、吹き出して引かれるエアジェットによって、ほぼ２次元のエアカーテンが形成されるようにし、カウンター上のオーブンの左右は、左側をエア供給のために開口する。この吹き出し場は、空気力学原理によって検証されており、これにより、斜め方向のエアカーテンと後壁との間の煤と有害ガスとを確実に上方向の排気フードに向かって運び排出することができる。
【０００４】
実施にあたって、強い通風がなければ、上記レンジフードは、煤や有害ガスを効果的に閉じ込めて排出する能力を有している。そのうえ、周囲をあるく人々や２０ｃｍ／ｓ未満の速度のわずかな通風により引き起こされる漏れを最小化することができる。前述のように、カウンター上のオーブンの左側と右側とのうち、左側は開放されており、調理する人々が面する２次元エアカーテンを形成するように、エアが引き込まれ、供給される。このようにして、カウンターの前の通風の干渉に対して強い抵抗を供給することができる。しかし、キッチンでは、電気ファンによって生成される気流や他のドアや窓を通して吹いてくる外からの気流のように、あらゆる方向から来る僅かに強い通風の干渉を完全に取り除くことが困難である。この現象は、キッチンの通風を複雑なものとする。
特に、カウンター上のオーブンの左側や右側に通風が存在するとき、エアカーテン構造は、カウンター上のオーブンの左側や右側の近くに形成されるエア供給空間を通した側面からの通風によって壊される。その結果、煤の排気能力は大幅に減じられる。国立台湾科技大学によって行われた実験結果によれば、通風の速度が約２０ｃｍ／ｓ以上のとき、煤の深刻な漏れが商業的に利用される従来のレンジフードにおいて引き起こされる。この現象は、二次元エアカーテンを備えるレンジフードにおいても発生するであろう。通風はキッチンに一般的にみられ、その速度を小さな範囲内に閉じ込めることは難しい。それによって、煤の漏れは、これらの場所において非常に深刻である。そのうえ、煤やガスが高温のときは、ガスの膨張性のために煤の漏れを妨げることがより難しくなる。
【０００５】
さらに、２次元エアカーテンを備える上記レンジフードは、同時に、吹き出し装置と排気装置とを含むことを要求される。それゆえ、これらの部品を組み立てたり、交換したりすることが極めて不便である。そのうえ、より多くの器械が要求されるから、装置のコストや製造の手間は増大させられる。
【０００６】
従来のものと異なる改善された構造を提供し、上記の欠点を克服するために、本願考案者は、鋭意研究の末に本願考案を開発した。懸命の研究開発の後、本願考案者は、効果的に煤や有害ガスを排気し、あらゆる方向からの通風に抗し、高温の膨張ガスの漏れを防ぐことのできるレンジフードを提供する。
【考案の概要】
【考案が解決しようとする課題】
【０００７】
本願考案の目的は、排気フードの底部の細長排気スロットと、前記排気フードの左側および右側側面のそれぞれの下の長い直立板とを備えることにより、流れ込む側面方向の通風を防ぎ、上方向への気流の流れはそのままに、煤や有害ガスを排気し、通風に抗しうるレンジフードを提供することである。
【０００８】
本願考案の更なる目的は、前記排気フードの左側および右側側面のそれぞれの下の長い直立板と、２枚の直立板の各前端にガイド部とを備えることにより、直立板の前端を通して前記排気フードの下の空間にエアが流れ込むとき、左右直立板の前端からそれた気流によってバックフロー領域が形成されるのを低減し、排気流の流れを円滑に保つ、通風に抗しうるレンジフードを提供することである。
【０００９】
本願考案の更なる目的は、前記排気フードの底部に位置する排気スロットの一端に、吹き付け溝を備え、上方向の吹き付けエアにより、エア発生装置によって生成される高温の膨張ガスをその漏れを防ぐために閉じ込めて、細長排気スロットへとガイドする、通風に抗しうるレンジフードを提供することである。
【課題を解決するための手段】
【００１０】
上記の目的を達成するために、本願考案は、壁によりかかって構成される背面を有し、頂部にエア発生装置を備えるカウンターの上に位置する、通風に抗しうるレンジフードとしている。前記レンジフードは、排気フードと長左側直立板と長右側直立板とを含む。前記排気フードはその底部に、下方向に面して開口を有する細長排気スロットを備えている。前記細長排気スロットは、エアを上方向に引くための排気装置と接続される。前記細長排気スロットの前端には、下方向に面する開口を有する細長吹き付け溝が備えられている。前記細長吹き付け溝は、エアを下方向に吹き付けるための吹き付け装置と接続される。前記細長排気スロットと前記細長吹き付け溝とは、前記排気フードの前端面と後端面との間の位置に、前記前端面および後端面と平行に配される。長左側直立板は、前記排気フードの左側面の下にしっかりと設けられ、その水平幅が、前記エア発生装置の後端から前記壁までの水平距離を下回ることがない一方で、その鉛直長さが、前記カウンターの頂部から当該長左側直立板の底部までの高さを下回ることがない。長右側直立板は、前記排気フードの右側面の下にしっかりと設けられ、その水平幅が、前記エア発生装置の後端から前記壁までの水平距離を下回ることがない一方で、その鉛直長さが、前記カウンターの頂部から当該長右側直立板の底部までの高さを下回ることがない。
【００１１】
実施にあたっては、湾曲した第１のガイド部が、前記長左側直立板の前端の右側に設けられ、湾曲した第２のガイド部が、前記長右側直立板の前端の左側に設けられる。
【００１２】
実施にあたっては、通風に抗しうるレンジフードを直接にカウンターの上に吊されるとき、前記細長排気スロットを、排気フードの前端面と後端面との間で中程に位置させる。エア発生装置の左右側面を覆うために、長左側直立板の水平幅は、排気フードの左側面の水平幅の４分の１より小さくなることはなく、長右側直立板の水平幅は、排気フードの右側面の水平幅の４分の１より小さくなることはない。さらに、細長排気スロットの前端と後端とには、それぞれ、下方向に面して開口を有する細長吹き付け溝が備えられている。前記細長吹き付け溝は、エアを下方向に吹き付けるための吹き付け装置と接続される。そのうえ、前記細長吹き付け溝は、前記細長排気スロットと平行である。
【００１３】
次なる詳細な説明では、図面を伴う例示や具体的な実施態様によって、本願考案が最良に理解されるであろう。
【図面の簡単な説明】
【００１４】
【図１】本願考案の第１の実施形態を示す、カウンターより上の説明図である。
【図２】本願考案の第１の実施形態であり、壁によりかかった構成を示す断面図である。
【図３】本願考案のある形態のエアコレクタを示す断面図である。
【図４】本願考案のある形態のエアコレクタを示す断面図である。
【図５】ガス排気プロセスにおける本願考案の第１の実施形態の使用を示す図である。
【図６】ガス排気プロセスにおける本願考案の第１の実施形態の使用を示す図である。
【図７】ガス排気プロセスにおける本願考案の第２の実施形態の使用を示す図である。
【図８】本願考案の第３の実施形態を示す断面図である。
【図９】ガスの排気プロセスにおける本願考案の第３の実施形態を示す図である。
【図１０】本願考案において、オーブン上に煙を発し、レーザによって煙の流れの場を視覚化する技術を適用した状態で、水平面と中間の垂直平面とでの煙の様子を示す写真である。
【図１１】静的なテストにおける、本願考案と他のレンジフードとによって得られた捕捉効率について、比較のカーブを示すグラフである。
【図１２】動的なテストにおける、本願考案と他のレンジフードとによって得られた捕捉効率について、比較のカーブを示すグラフである。
【図１３】本願考案の第４の実施形態における壁によりかかった構成の断面図である。
【図１４】本願考案の第４の実施形態において、吹き付け溝の更なるパターンを示す説明図である。
【図１５】本願考案の第４の実施形態の使用を示す図である。
【図１６】本願考案の第５の実施形態の断面図である。
【考案を実施するための形態】
【００１５】
図１および図２は、本願考案に係る通風に抗しうるレンジフード１の第１の実施形態を示すものである。この実施形態では、レンジフードは、壁１１によりかかった背面を持ち、カウンター１２の上に位置している。オーブンは、カウンター１２の頂部に配置され、オーブンの上に調理器具が置かれる。オーブンは、エア発生装置１３として設計されている。エア発生装置１３は、壁１１と面する後端１３１と、それと反対側で壁１１から離れた前端１３２とを有している。実施においては、エア発生装置１３は、有害ガスを生じることのある調理器具や他の用品を含みうる。そして、レンジフード１は、排気フード２、長左側直立板３、長右側直立板４を含む。
【００１６】
排気フード２は、エアコレクタ２１を備えている。エアコレクタ２１は、その中に空間２１１を有する実質的に長方形の囲いである。そのうえ、エアコレクタ２１は、下方向に面して開口している細長排気スロット２２を有する底板２１２を備えている。細長排気スロット２２は、排気フード２の前端面２３と後端面２４との間に位置し、前端面２３と後端面２４とに平行になっている。エアコレクタ２１の底板２１２には、油防枠２１３が備えられている。油防枠２１３は、底板２１２の表面から突き出しており、細長排気スロット２２の周囲を取り囲んでいる。油蓄箱２５は、エアコレクタ２１の底板２１２の表面の背面端の下に設けられる。あるいは、油蓄箱２５は、底板２１２の表面の前端の下か側面の下に設けられてもよい。そのうえ、エアコレクタ２１の頂部には、排気装置２６に接続されるための排気インレット２１４が設けられる。排気インレット２１４は、細長排気スロット２２の上方位置からは離して設けられる。実施にあたっては、排気装置２６は、引き込みファンや吹き付け機やエアを引き込みうる他の流体機構からなりうる。
【００１７】
実施にあたって、エアコレクタ２１は、実質的にＬ字型の囲いであってもよい。図３に示されるように、細長排気スロット２２は、下方向に面しており、所定の角度において斜めを向いている。あるいは、図４に示されるように、細長排気スロット２２は、エアコレクタ２１の後端面２４から離れる方向に向けられる。
【００１８】
長左側直立板３は、実質的に長方形をしており、その頂部は、エアコレクタ２１の左側面の下にしっかりと配置され、そのため、長左側直立板３と細長排気スロット２２とが互いに実質的に垂直になるように、エアコレクタ２１の左側面の下の位置から下方向に延ばされている。そのうえ、湾曲した第１のガイド部３１は、長左側直立板３の前端の右側の位置に設けられる。長左側直立板３の水平幅Ｗは、エア発生装置１３の後端１３１から壁１１までの水平距離Ｗ１より小さくなることはない。言い換えれば、長左側直立板３は、エア発生装置１３の左側面の少なくとも一部を覆う。さらに、長左側直立板３の高さＨは、カウンター１２の頂部から長左側直立板３の底までの高さＨ１より小さくなることはない。
【００１９】
長右側直立板４と長左側直立板３とは、エアコレクタ２１の左右側面にそれぞれ対称的に配される。長右側直立板４の頂部は、エアコレクタ２１の右側面の下にしっかりと設けられるので、長右側直立板４と細長排気スロット２２とが互いに実質的に垂直になるように、長右側直立板４は、エアコレクタ２１の右側面の下から下方向に延ばされる。そのうえ、湾曲した第２のガイド部４１は、長右側直立板４の前端の左側に設けられる。長右側直立板４の水平幅は、エア発生装置１３の後端１３１から壁１１までの水平距離より小さくなることはない。言い換えれば、長右側直立板４は、エア発生装置１３の右側面の少なくとも一部を覆う。さらに、長右側直立板４の高さは、カウンター１２の頂部から長右側直立板４の底までの高さより小さくなることはない。
【００２０】
その結果、長左側直立板３の前端と排気フード２の左側面の前端との下方には、第１のエア供給空間２７が実質的に長方形状に形成される。そのうえ、長右側直立板４の前端と排気フード２の右側面の前端との下方には、第２のエア供給空間２８が実質的に長方形状に形成される。さらに、長左側直立板３の底とカウンター１２の左側面との間には、第３のエア供給空間２９が実質的に長方形状に形成される一方、長右側直立板４の底とカウンター１２の右側面との間には、第４のエア供給空間３０が実質的に長方形状に形成される。
【００２１】
それによって、図５および図６に示されるように、本願考案が壁に固定され、エア発生装置１３が煤や他の有害ガスを生成し始めるとき、排気装置２６の操作によって、細長排気スロット２２がエアを上方向に引き始める。細長排気スロット２２の高速排気によって、エア発生装置１３によって生成された煤や他の有害ガスを上方に運ぶように、エアコレクタ２１の前端の下に斜めの気流が形成される。エアコレクタ２１内部の空間２１１を通過すると、排気装置２６によって煤や他の有害ガスは排気される。排気装置２６の排気インレット２１４は、細長排気スロット２２の上方位置からは離れて設けられるので、蓄積された廃油は、細長排気スロット２２からたれ落ちるよりも、むしろ底板２１２に付着することになる。さらに、細長排気スロット２２の周囲を油防枠２１３で取り囲むことにより、廃油が細長排気スロット２２からたれ落ちることを防止することができる。それによって、廃油は油蓄箱２５の中に流れ込む。長左側直立板３と長右側直立板４との妨げによって側面方向からの通風に抵抗することができる。その結果、前述の斜め気流の構造は壊されず、煤や有害ガスを排出するように、そのまま上方向への気流を形成することができる。
【００２２】
なお、湾曲した第１のガイド部は、長左側直立板３の前端の右側に設けられる一方、湾曲した第２のガイド部は、長右側直立板４の前端の左側に設けられる。それによって、第１のエア供給空間２７と第２のエア供給空間２８とを通して、エアコレクタ２１の下の空間にエアが流れ込んだとき、第１のガイド部３１と第２のガイド部４１との出発点３１１，４１１は、より後ろに位置することになる。結果として、排気の流れを円滑に保つように、気流によって生成されるバックフロー領域を低減することができる。
【００２３】
図７を参照すると、本願考案の第２の実施形態が図示されている。この実施形態は、第１の実施形態と次のような面で異なっている。カウンター１２は、細長吹き付け部５を備える前端を有している。細長吹き付け部５は、細長排気スロット２２に対応したサイズの斜めの細長吹き付けスロット５１を備えている。細長吹き付けスロット５１は、吹き付け機５２に連結されている。吹き付け機５２の操作によって、細長吹き付けスロット５１と細長排気スロット２２との間の斜めのエアカーテン５３を形成するように、細長吹き付けスロット５１を通して所定の角度でエアジェットが上方向に吹き上がり、細長排気スロット２２へと入るようになっている。実施にあたっては、吹き付け機５２の代わりにクロスフロー（cross-flow）ファンや他の流体機構も用いられうる。
【００２４】
図８を参照すると、本願考案の第３の実施形態が図示されている。この実施形態は、第１および第２の実施形態と次のような面で異なっている。
排気フード２の前面と後面とを開放するために、レンジフードが直接にカウンター１２の上に吊されている。細長排気スロット２２は、排気フード２の前端面と後端面との間で中程に位置している。エア発生装置１３の左右側面を覆うために、長左側直立板３の水平幅Ｗ２は、排気フード２の左側面の水平幅Ｗ３の４分の１より小さくなることはない一方で、長右側直立板４の水平幅は、排気フード２の右側面の水平幅の４分の１より小さくなることはない。図９に示されるように、カウンター１２の後端もまた更なる細長吹き付け部６を備えている。細長吹き付け部６は、細長排気スロット２２に対応する細長吹き付けスロット６１を備えている。そのうえ、細長吹き付けスロット６１は吹き付け機５２と接続されている。それによって、細長吹き付けスロット６１から所定の角度でエアジェットが吹き付けられ、細長排気スロット２２へと流れ込んだとき、細長吹き付けスロット６１と細長排気スロット２２との間に更なる斜めのエアカーテン６２が形成されうる。
【００２５】
細長吹き付け部５および細長吹き付け部６の存否に応じてエアカーテンが１つであっても２つであっても、煤や他の有害ガスを、排気フード２へとしっかりと上方へと運ぶことができ、排気装置２６の操作によって排出が行われる。
【００２６】
本願考案の装置における、いくつかの水平と垂直な平面をみるために、煙がオーブンの上に放たれ、レーザによって煙の流れを視覚化する技術を適用した。図１０は、水平面と中間の垂直面との煙の様子を示す写真である。垂直面における煙の分布からわかるように、煙生成装置から生成された煙は、まず上昇してから所定の角度で後壁に向かい、そして、前面から逃げる代わりに、後方に位置する排気スロットに引き込まれる。また、水平面における煙の分布からわかるように、煙生成装置から生成された煙の大半は、横方向へ拡散する代わりに中央領域周辺に集まる。
【００２７】
本願考案の汚染物質除去効果は、国立台湾科技大学の熱流体実験室によって行われ、追跡ガス検出法を適用した実験によって証明された。ガス放出装置がオーブンの上に配され、六フッ化硫黄（ＳＦ６）ガスが一定の濃度と速度で放出された。
排気フードのダクトの十分離れた終端で測定される「単位時間あたりに通過するＳＦ６ガスの体積を、単位時間あたりにガス放出装置から放たれたＳＦ６ガスの体積で割った値」として定義される捕捉効率（η）を計算するために、排気フードのダクトの十分離れた終端で、六フッ化硫黄ガスの濃度と流速とが測定された。
【００２８】
第１のテストは静的なテストである。このテストでは、排気フードは、カウンターからそれぞれ異なった高さ（Ｈ）に設けられる。周囲環境の通風の流速（Ｖｄｒａｆｔ）が非常にゆっくりした（約０．０３ｍ／ｓ）条件下で、５種類のレンジフードについて、各々の捕捉効率が測定された。５種類のレンジフードとは、（１）従来のレンジフード、（２）エアを上方向に吹き上げるためにカウンターの前端にスロットを設けた従来のレンジフード、（３）左側面と右側面とにそれぞれ保護板を備えた従来のレンジフード、（４）エアカーテンタイプのレンジフード、（５）本願考案のレンジフードを含む。結果を図１１に示す。最初の３種類のレンジフード（従来のレンジフード、エアを上方向に吹き上げるためにカウンターの前端にスロットを設けた従来のレンジフード、左側面と右側面とにそれぞれ保護板を備えた従来のレンジフード）の捕捉効率が、最後の２種類のレンジフード（エアカーテンタイプのレンジフード、本願考案のレンジフード）の捕捉効率より遙かに下であることは明らかである。さらに、本願考案のレンジフードの捕捉効率は、エアカーテンタイプのレンジフードの捕捉効率より高い。この現象は、レンジフードの高さが０．５ｍより高いときにより顕著となった。
【００２９】
第２のテストは、周囲環境の通風に抗する能力を測定するテストである。このテストでは、排気フードは、カウンターから０．６ｍの高さに設けられた。そのうえ、異なる流速（Ｖｄｒａｆｔ）の通風が、上記５種類のレンジフードから２ｍの距離で、各レンジフードに向かって４５度の角度で吹き付けられた。当該５種類のレンジフードの捕捉効率が各々測定された。結果を示すのが図１２である。最初の３種類のレンジフード（従来のレンジフード、エアを上方向に吹き上げるためにカウンターの前端にスロットを設けた従来のレンジフード、左側面と右側面とにそれぞれ保護板を備えた従来のレンジフード）の捕捉効率が、最後の２種類のレンジフード（エアカーテンタイプのレンジフード、本願考案のレンジフード）の捕捉効率より遙かに下であることは明らかである。さらに、本願考案のレンジフードの捕捉効率は、エアカーテンタイプのレンジフードの捕捉効率より高い。特に、本願考案は、通風の流速が０．２ｍ／ｓより大きいときに強みを発揮する。本願考案の捕捉効率は、流速が１ｍ／ｓの速さになっても、僅かに減少するだけで高い値を保っている。本願考案に係るレンジフードとは対照的に、通風が徐々に強くなると、他の４種類のレンジフードの捕捉効率は、容認できない程度に急速に減少する。通風の角度を変えても同様の結果が得られた。
【００３０】
図１３を参照すると、本願考案の第４の実施形態が示されている。この実施形態では、長左側直立板３は、排気フード２の左側面の下に位置を固定されている一方、長右側直立板４は、排気フード２の右側面の下に位置を固定されている。そのうえ、細長排気スロット２２の前端には、下方向に向かって開口している細長吹き付け溝２２１が備えられている。細長吹き付け溝２２１は、細長排気スロット２２に平行で、細長吹き付け溝２２１は、エアを下方向に向かって吹き付けるための吹き付け装置２２２と接続されている。実施にあたっては、吹き付け装置２２２は、エアブロワー（air blower）かクロスフロー（cross-flow）ファンを用いる。図１４に示されるように、細長吹き付け溝２２１は、さらに、互いに間隔をあけて一直線に整列される、左側吹き付け溝２２１１および右側吹き付け溝２２１２を含んでいる。さらに、細長吹き付け溝２２１、左側吹き付け溝２２１１、右側吹き付け溝２２１２は、互いに間隔を開けて配列された複数の吹き付け穴から構成されてもよい。
【００３１】
図１５に示されるように、エア発生装置１３が高温ガスを発生するとき、煤は、ガス膨張現象のために、排気フード２の前端面２３に向かって拡散していく。一方、細長吹き付け溝２２１からの下方向の吹き付けは、排気フード２の底の前端を通した高温で膨張したガスの漏れを防ぐことができるだけでなく、高温ガスが逃げるのを防止するために当該ガスが細長排気スロット２２に吹き込むようにガイドすることもできる。
【００３２】
図１６は、本願考案の第５の実施形態を示している。この実施形態では、長左側直立板３は、排気フード２の左側面の中央部分の下にしっかりと配される一方、長右側直立板４は、排気フード２の右側面の中央部分の下にしっかりと配される。細長排気スロット２２は、下方向に向かって開口している細長吹き付け溝２２１をそれぞれ前端と後端とに備えている。２つの細長吹き付け溝２２１は、排気フード２の前端面２３と後端面２４から高温のガスが漏れるのを防ぐために、それぞれ下方向に吹き付けるための吹き付け装置２２２と接続されている。実施にあたっては、任意の細長吹き付け溝２２１を、互いに間隔をあけて一直線に整列される、左側吹き付け溝２２１１および右側吹き付け溝２２１２から構成してもよい。代わりに、細長吹き付け溝２２１、左側吹き付け溝２２１１、右側吹き付け溝２２１２を、互いに間隔を開けて配列された複数の吹き付け穴から構成されてもよい。
【００３３】
それゆえ、本願考案は次のような利点を備えている。
【００３４】
本願考案によれば、エアを引くことのできる細長排気スロットによって、煤や有害ガスを排気できるように、上方向に向かって流れる気流をそのままに形成しながら、長左側板および長右側板により、横方向からの通風に抗することができる。
【００３５】
本願考案によれば、長左側板および長右側板の前端に、それぞれ湾曲したガイド部を設けることによって、排気フードの下の空間に入るバックフローバブルを低減することができる。それによって、バックフローバブルは、外に向かってはみ出ることがなく、煤が拡散することを防止できる。さらに、上方向に向かう気流の流れはそのままにするので、円滑な排気が可能となる。
【００３６】
本願考案によれば、細長排気スロットと長左側板および長右側板との協力によって、上方への流れをそのままに、煤や有害ガスを排出することができる。それによって、本願考案のレンジフードは、他の台所用品を変更する必要なしに、従来のレンジフードを置き換えることができるので、簡便に用いることができる。
【００３７】
本願考案によれば、排気フードの底の吹き付け溝からの下方向への吹き付けは、高温の膨張ガスの漏れを防ぐことができるだけでなく、高温の膨張ガスが細長排気スロットに吹き込むようにガイドすることもできる。それによって、ガスが高温状態で、通風のある条件下であっても、効果的に上記の漏れを防ぐことができる。
【００３８】
上記の詳細な説明と添付図面とで開示したように、本願考案は、あらゆる方向からの通風を妨げ、効果的に煤や有害ガスを排出することのできる、通風に抗しうるレンジフードを提供するものである。本願考案は、新規性と産業上の利用性を備えている。
【００３９】
本願考案の具体的態様について詳細に説明したが、多くの改変やバリエーションは、上述に開示された教示内容から当業者がなし得るものである。それゆえ、いかなる改変やバリエーションも、特許請求の範囲によって定義される技術的範囲に属し、本願考案の精神と均等とみなされるべきである。
【符号の説明】
【００４０】
１    レンジフード
２    排気フード
３    長左側直立板
４    長右側直立板
１１    壁
１２    カウンター
１３    エア発生装置
２２    細長排気スロット
２６    排気装置
【図１】
0003188116.tif 000003
【図２】
0003188116.tif 000004
【図３】
0003188116.tif 000005
【図４】
0003188116.tif 000006
【図５】
0003188116.tif 000007
【図６】
0003188116.tif 000008
【図７】
0003188116.tif 000009
【図８】
0003188116.tif 000010
【図９】
0003188116.tif 000011
【図１１】
0003188116.tif 000012
【図１２】
0003188116.tif 000013
【図１３】
0003188116.tif 000014
【図１４】
0003188116.tif 000015
【図１５】
0003188116.tif 000016
【図１６】
0003188116.tif 000017
【図１０】
0003188116.tif 000018